(57)【要約】【課題】  エレベーターを利用する予定の利用者がエレベーターの設置場所に到達する前に、目的場所まで最速で到達できる昇降手段を示して、最速で目的場所に到達することを可能にする。【解決手段】  昇降装置は、複数階床間をサービスするエレベーター１とエスカレーター２と階段３を有する。エレベーター１を制御するエレベーター制御装置５０と送受信可能な携帯端末器を、エレベーターを利用予定の利用者に携行させる。利用者が携帯端末器から行先階をエレベーター制御装置に送信したら、エレベーター制御装置は、利用者がエレベーターとエスカレーターと階段を利用した場合のそれぞれにおける現在階床から行先階までの所要時間を携帯端末器に送信する。携帯端末器はこれら送信された所要時間を表示可能な表示手段を有する。【選択図】  図３
2015020853.tif 000002
【特許請求の範囲】
【請求項１】
複数階床間をサービスするエレベーターと複数階床間をサービスするエスカレーターと階段を有し、前記エレベーターを制御するエレベーター制御装置を備えた昇降装置において、
前記エレベーター制御装置と送受信可能でかつ前記エレベーターを利用予定の利用者に携行される携帯端末器を設け、利用者が前記携帯端末器から行先階を前記エレベーター制御装置に送信したら、前記エレベーター制御装置は、利用者が前記エレベーターと前記エスカレーターと前記階段を利用した場合のそれぞれにおける現在階床から行先階までの所要時間を前記携帯端末器に送信し、前記携帯端末器はこれら送信された所要時間を表示可能な表示手段を有することを特徴とする昇降装置。
【請求項２】
前記エレベーター制御装置は、前記エレベーターが各階床まで昇降する所要時間である行先階データが格納された記憶手段を有し、前記エレベーター制御装置は、前記記憶手段に格納した行先階データと前記携帯端末から送信された行先階信号とに基づいて、前記エレベーターを利用した場合に前記利用者が行先階に到着するまでの時間を算出することを特徴とする請求項１に記載の昇降装置。
【請求項３】
前記エレベーター制御装置は、前記エレベーターが各階床まで昇降する所要時間である行先階データが格納された記憶手段を有し、前記記憶手段には前記エスカレーターを利用する場合の各階到着時間が格納されており、前記エレベーター制御装置は、前記記憶手段に記憶されたエスカレーターを用いた時の各階到着時間データと前記携帯端末から送信された行先階信号とに基づいて、前記エスカレーターを利用した場合に利用者が行先階に到着するまでの時間を算出することを特徴とする請求項１に記載の昇降装置。
【請求項４】
前記エレベーター制御装置は、前記エレベーターが各階床まで昇降する所要時間である行先階データが格納された記憶手段を有し、前記記憶手段には前記階段を利用した場合の各階到着時間データが格納されており、前記記憶手段に格納された行先階データおよび前記階段を利用した場合の各階到着時間データに基づいて、前記階段を利用した場合に利用者が行先階に到着するまでの時間を算出することを特徴とする請求項１に記載の昇降装置。
【請求項５】
複数階床間をサービスするエレベーターと複数階床間をサービスするエスカレーターと階段とを有し、前記エレベーターを制御するエレベーター制御装置が備えられた昇降装置の利用者が携行する昇降装置の携帯端末器において、
前記エレベーター制御装置との間で送受信した行先階情報を表示する表示手段を設け、前記表示手段は、この携帯端末器から行先階を前記エレベーター制御装置に送信して得られた利用者が前記エレベーターと前記エスカレーターと前記階段を利用した場合のそれぞれにおける現在階床から行先階までの所要時間を表示可能であることを特徴とする昇降装置の携帯端末器。
【請求項６】
前記携帯端末器が、携帯電話またはスマートフォンであることを特徴とする請求項５に記載の昇降装置の携帯端末器。
【発明の詳細な説明】
【技術分野】
【０００１】
本発明は、エレベーターとエレベーター以外の昇降手段が併設された昇降装置、及びそれに用いて好適な携帯端末器に関する。
【背景技術】
【０００２】
エレベーターと他の交通手段のいずれを選択するかを判断して、乗客の移動効率を向上させることが特許文献１に記載されている。この公報に記載の昇降機システムでは、エレベーター所要時間算出部がエレベーターを利用した場合の所要時間を算出し、エスカレーター所要時間算出部がエスカレーターを利用した場合の所要時間を算出している。そして、判定手段がエスカレーターを利用した場合の方が目的階までの時間が短いと判断したときに、案内表示装置にメッセージを表示している。また、特許文献２から特許文献４には、エレベーターを利用した場合の目的地までの経路と移動時間や、エレベーターの待ち時間を表示することが開示されている。
【先行技術文献】
【特許文献】
【０００３】
【特許文献１】特開２０１０−２０８７７３号
【特許文献２】特開２０１２−１５８３９８号
【特許文献３】特開２０４−２５０１２３号
【特許文献４】特開平８−９９７７９号
【発明の概要】
【発明が解決しようとする課題】
【０００４】
商業施設等で、エレベーターとエスカレーター、階段が併設されている場合には、多くの場合、エスカレーターは近接階へのアクセスを容易にするため、エレベーターは離れた階へのアクセスを容易にするために設けられる。この理由と階床設計時の強度計算等から、エスカレーターはフロアの中央部に、エレベーター及び階段はフロアの壁面部に設けられることが多い。
【０００５】
エレベーターを利用する予定の利用者は、エレベーターが建物壁近傍に設けられていることから、建物の入口から建物の周辺部へと進み、エレベーターの到着までに時間を要する場合に階段を利用するのが一般的である。これに対して、エスカレーターを使用する人は建物の中央部へ進んでいくので、エレベーターや階段を利用する意識が少ない。
【０００６】
上記特許文献１に記載のエレベーターとエスカレーターを併設した昇降システムでは、エレベーターを利用しようとしてエレベーターの設置位置まで来てから、待ち時間が長くなることを知り、エスカレーターを代わりに利用する。しかし、すでにエレベーターの位置まで来ているので、中央部にあるエスカレーターまで戻るかまたは面倒な経路を通ってエスカレーターまで進まなければならない。その結果、エレベーターの前でじっと待っていた方が結果としては早く目的場所に到達できる、という不具合が発生する場合がある。また、上記特許文献２ないし４のいずれにおいても、エレベーターの待ち時間等の表示はあるものの、最速で目的地に到達することについては、十分には考慮されていない。
【０００７】
本発明は上記従来技術の不具合に鑑みなされたものであり、その目的は、エレベーターを利用する予定の利用者がエレベーターの設置場所に到達する前に、目的場所まで最速で到達できる昇降手段を示して、最速で目的場所に到達することを可能にすることにある。
【課題を解決するための手段】
【０００８】
上記目的を達成する本発明の特徴は、複数階床間をサービスするエレベーターと複数階床間をサービスするエスカレーターと階段を有し、前記エレベーターを制御するエレベーター制御装置を備えた昇降装置において、前記エレベーター制御装置と送受信可能でかつ前記エレベーターを利用予定の利用者に携行される携帯端末器を設け、利用者が前記携帯端末器から行先階を前記エレベーター制御装置に送信したら、前記エレベーター制御装置は、利用者が前記エレベーターと前記エスカレーターと前記階段を利用した場合のそれぞれにおける現在階床から行先階までの所要時間を前記携帯端末器に送信し、前記携帯端末器はこれら送信された所要時間を表示可能な表示手段を有することにある。
【発明の効果】
【０００９】
本発明によれば、エレベーターの利用予定者がエレベーター設置位置に着くまでに、目的場所までの昇降手段別の到達時間が提示されるので、目的場所まで最速で到達でき昇降手段を選択することが可能になる。その結果、昇降手段の利用者の昇降の効率が、向上する。
【図面の簡単な説明】
【００１０】
【図１】本発明に係る昇降装置の一実施例の乗り場付近の斜視図である。
【図２】昇降装置の利用者が携行する携帯端末器の正面図である。
【図３】本発明に係る昇降装置の一つであるエレベーターの制御装置と携帯端末器の一実施例のブロック図である。
【図４】図３に示した携帯端末器におけるデータ送信のフローチャートである。
【図５】図３に示したエレベーターの制御装置における行先階到着時間演算のフローチャートである。
【図６】図３に示した携帯端末器におけるデータ受信のフローチャートである。
【発明を実施するための形態】
【００１１】
以下、本発明に係る昇降装置５０の一実施例を、図面を参照して説明する。図１は、昇降装置５０として、エレベーター１とエスカレーター２と階段３が設置されている場合における、エレベーター１の乗り場周囲を示す斜視である。エレベーター１の乗り場側には、携帯端末器４と送受信可能な図示しないエレベーター送受信装置またはエレベーター制御装置が設けられている。そのため、携帯端末器４を携行する昇降装置５０の利用者が、エレベーター１の乗場に近づくと、エレベーター１と利用者の持つ携帯端末器４との間で通信が可能になる。
【００１２】
図２に、利用者が携行する本発明に係る携帯端末器４の一実施例を、正面図で示す。携帯端末器４の電源がオンになっており、エレベーター１から送信された情報が表示されている。なお、利用者は、予めこの携帯端末器４からエレベーター１の図示しない送受信装置またはエレベーター１の制御装置に、目的地である行先階を入力する。
【００１３】
エレベーター制御装置５または制御装置５に付設された送受信装置は、携帯端末器４から行先階の信号を受信した階床を特定し、携帯端末器４の位置を推定する。そして、エレベーター１を利用する場合の利用開始階床から行先階までのエレベーター１の所要時間を演算して携帯端末器４に送信する。同様に、エスカレーター２の所要時間および階段３の所要時間データもエレベーター１の制御装置または送受信機から携帯端末器４に送信される。これらの情報を受信した携帯端末器４は、自己が備える表示手段に受信した内容を表示する。
【００１４】
図２では表示内容として、エレベーター１の利用予定者が現在いる階床からエレベーター１の制御装置に送信した目的階までの所要時間であり、それぞれ「エレベーター所要時間」、「エスカレーター所要時間」、「階段所要時間（標準）」として、秒単位まで表示される。その際、利用者の便のために、移動前後の階床も並行して表示される。
【００１５】
次に、上記所要時間を算出する方法を、図３に示したエレベーター１の制御装置５と携帯端末器４の図及び図４ないし図８に示したフローチャートを用いて説明する。図３は、本発明に係るエレベーター制御装置５と携帯端末器４のブロック図である。エレベーター制御装置５は、乗りかごの昇降とドアの開閉を主として制御するが、この部分については図３では記載を省略し、待ち時間の算出に係る部分のみを示している。
【００１６】
図４は、携帯端末器４におけるデータ送信手順を示すフローチャートであり、図５は、エレベーター制御装置５における行先階到着時間の演算手順を示すフローチャートである。図６は、携帯端末器４におけるデータ受信手順を示すフローチャートである。
【００１７】
エレベーター制御装置５が備えるデータ受信部６には、利用者の携帯端末器４から送信される行先階データ８が入力される。データ受信部６に入力された行先階データ８は、行先階登録部７で携帯端末器４を携行する利用者の行先階データ８として、エレベーター制御装置５の記憶手段に登録される。
【００１８】
一方、エレベーター制御装置５が備える図示しない乗りかごの昇降制御部からの運行情報に基づいて、エレベーター待ち時間演算部９が、現在の乗りかご位置から利用者がいる階床に到達するまでのエレベーター待ち時間１０を演算し、記憶手段に記憶する。その後、エレベーター行先階到着時間演算部１１が、記憶手段に記憶された行先階データ８とエレベーター待ち時間１０とを参照して、乗りかごの現在階床から利用者が現在いる階床を経由して指定した行先階までに乗りかごが移動する時間であるエレベーター行先階到着時間１２を演算し、記憶手段に記憶する。
【００１９】
エレベーター制御装置５の記憶手段には、エスカレーター２の運行に関する種々の情報が記憶されている。エスカレーター行先階到着時間演算部１４は、これらの情報の中からエスカレーター２を利用して各階に行く場合の所要時間である各階所要時間１３を参照する。そして、利用者の現在階床と、記憶手段に記憶された行先階データ８を用いて、利用者がエスカレーター２を利用して現在階床から目的の行先階までに移動するのに要する時間であるエスカレーター行先階到着時間１５を演算し、記憶手段に記憶する。
【００２０】
エレベーター制御装置５の記憶手段には、階段に関する種々の情報も記憶されている。その際、利用者が標準の速さで階段を上り下りする時間である階段各階所要時間１６もそれらの情報の中に含まれている。階段行先階到着時間演算部１７は、利用者の現在いる階床と記憶手段に記憶された行先階データ８および階段各階所要時間１６から、利用者が階段を利用して現在階床から目的階まで移動するのに要する時間である階段行先階到着時間１８を算出し、記憶手段に記憶する。
【００２１】
これら記憶手段に記憶されたエレベーター行先階到着時間１２及びエスカレーター行先階到着時間１５、階段行先階到着時間１８は纏められて、エレベーター制御装置５が備えるデータ送信部１９から、利用者が携行する携帯端末器４に送信される。携帯端末器４では、データ受信部２３がエレベーター制御装置５のデータ送信部１９から送信されたデータを受信する。
【００２２】
上述したように、携帯端末器４はエレベーター制御装置５との間でデータを送受信する。そのため、送信側にはデータ送信部２２が、受信側にはデータ受信部２３が配置されている。データ送信部２２は、主として利用者がこれから移動する移動先である行先階をエレベーター制御装置５のデータ受信部６に送信する。なお、エレベーター制御装置５のデータ受信部６は、エレベーター１の近傍に配置される。
【００２３】
利用者が行先階をエレベーター制御装置５に送信するため、携帯端末器４は行先階を入力するための行先階入力部２０を有している。携帯端末器４が携帯電話やスマートフォンのような携帯式の通信手段の場合には表示画面と兼用になっており、後述する表示部２５が相当する。
【００２４】
エレベーター利用予定者（利用者）が行先階入力部２０から入力した行先階は、行先階データ８として行先階データ作成部２１でデータ化される。データ化された行先階データ８は、データ送信部２２に送られ、上述した通り、エレベーター制御装置５に送信される。
【００２５】
一方、携帯端末器４のデータ受信部２３で受信された行先階までの所要時間のデータは、データ展開部２４でエレベーター１に関するデータ、エスカレーター２に関するデータ、階段３に関するデータのそれぞれに展開される。そしてエレベーター１に関する情報の中のエレベーター行先階到着時間１２と、エスカレーター行先階到着時間１５と階段行先階到着時間１８の各データは、まとめて表示出力部２６に送られ、表示器２５の画面上に図２に示したように、対比されて表示される。
【００２６】
次に図４を用いて、携帯端末器４から行先階データ８をエレベーター制御装置５に送信する処理を詳細に示す。初めにエレベーター１に近づいたエレベーターを利用する予定の利用者は、携帯端末器４に電源を投入して、携帯端末器４を起動する。そして、携帯端末器４の行先階入力部２０から、自身の移動目的階である行先階を入力する（ステップＥ１０２）。
【００２７】
行先階が入力された携帯端末器４では、ステップＥ１０３にて、入力された行先階から行先階データ作成部２１が、行先階データ８を作成する。利用者がエレベーター１に近づくと、ステップＥ１０４において、行先階データ８をエレベーター制御装置５に送信する。ここで、携帯端末器４はエレベーター制御装置５のデータ受信部６との通信が可能になるまで、行先階データ８を送信し続け、データ送信が成功したら、エレベーター制御装置５からその旨を返信させるようにすれば、より確実に行先階をエレベーター制御装置５に登録できる。この返信データは携帯端末器４の表示部２５に表示される。なお、返信データの代わりに、各到着時間１２、１５、１８の表示で代用させることもできる。
【００２８】
図５を用いて、エレベーター制御装置５における処理を詳細に説明する。初めに、エレベーター制御装置５の電源を投入またはリスタートさせて、起動する。ステップＥ２０２において、携帯端末器４からエレベーター制御装置５のデータ受信部６が行先階データ８を受信したか否かを判断する。行先階データ８を受信していたら、ステップＥ２０３に進み、行先階登録部７が行先階データ８を記憶装置に登録する。まだ携帯端末器４から行先階データ８を受信していなければ、ステップＥ２０２に戻って行先階データの受信を待つ。
【００２９】
行先階データ８が登録されたら、ステップＥ２０４において、利用者の現在位置を受信したデータ受信部６の位置から判断する。そして、エレベーター１の乗りかごの現在の階床位置が利用者の現在の階床位置に一致するか否かをエレベーター制御装置５が判断する。乗りかごの位置と利用者の位置が一致しなければ、ステップＥ２０５に進んで、エレベーター待ち時間演算部９がエレベーター待ち時間１０を演算する。一方、エレベーター１の乗りかごの階床位置と利用者の階床位置とが一致するならば、ステップＥ２０６に進む。
【００３０】
ステップＥ２０６では、エレベーター行先階到着時間演算部１４が、エレベーター行先階到着時間１２を演算する。その際、ステップＥ２０４の判断においてエレベーター待ち時間１０が含まれると判断したら、エレベーター待ち時間１０を含んだ時間を、エレベーター行先階到着時間１２とする。
【００３１】
次に、ステップＥ２０７において、エスカレーター２が併設されているか否かを判断する。エスカレーター２も設置されているときは、ステップＥ２０８に進んで、エスカレーター行先階到着時間演算部１４がエスカレーターを利用した場合の行先階までの到着時間１５を演算する。エスカレーター２が設置されていなければ、ステップＥ２０９に進む。
【００３２】
ステップＥ２０９では、エレベーター１の近くに階段３が設置されているか否かを判断する。階段３がある場合には、ステップＥ２１０に進み、階段行先階到着時間演算部１４が、階段行先階到着時間１８を演算する。近くに階段３が設置されていなければ、ステップＥ２１１に進む。
【００３３】
ステップＥ２１１では、エレベーター行先階到着時間演算部１１が演算したエレベーター行先階到着時間１１と、エスカレーター行先階到着時間演算部１４が演算したエスカレーター行先階到着時間１５と、階段行先階到着時間１７が演算した階段行先階到着時間１８を纏めて携帯端末器４に送信する。
【００３４】
次に、図６を用いて携帯端末器４が行先階到達時間を受信する処理を詳細に説明する。行先階を携帯端末器４からエレベーター制御装置５に送信し終えたら、携帯端末器４はデータ受信状態になる。ステップＥ３０２において、エレベーター制御装置５のデータ送信部１９から行先階到着時間データ１２、１５、１８を受信したか否かを判断する。これらの行先階到着時間データ１２、１５、１８を受信しているならば、ステップＥ３０３に進み、エレベーター行先階到着時間１２にデータ展開部２４が展開する。エレベーター制御装置５から行先階到着時間データを受信していなければ、ステップＥ３０２に戻りデータの受信を待つ。
【００３５】
ステップＥ３０４において、昇降装置としてエスカレーター２が設置されているか否かを判断する。エスカレーター２が設置されておればステップＥ３０５に進んで、データ展開部２４がエスカレーター行先階到着時間１５を展開する。エスカレーター２が設置されていなければ、ステップＥ３０６に進む。
【００３６】
ステップＥ３０６では、昇降装置として階段３が設置されているか否かを判断する。エレベーター１の近くに階段３があれば、ステップＥ３０７に進み、データ展開部２４が階段行先階到着時間１８を展開する。階段３がエレベーター１の近くになければ、ステップＥ３０８に進む。ステップＥ３０８では、上記展開処理であるステップＥ３０３、Ｅ３０５、Ｅ３０７で得られた行先階到着データ１２、１５、１８を、表示出力部２６が表示部２５に表示する。
【００３７】
本実施例によれば、携帯端末器４を携行するエレベーター１の利用予定者（利用者）が、エレベーターの乗り場側ボタンを押せる範囲に近づく前に、事前に携帯端末器４と、エレベーター１の各階に設けたエレベーター制御装置５の送受信手段との間で通信を可能にしている。そして、行先階をエレベーター制御装置５に入力するだけで、エレベーター及びエスカレーター、階段の各昇降手段を利用した場合の到着時間を利用者が知ることが可能になる。その結果、エレベーターの待ち時間が長いような場合やエスカレーターの配置位置が遠い場合など、エスカレーターや階段を利用した方が早く目的の行先階に行けることを利用者が知ることができる。利用者は、早く目的階に到達できる。また、エレベーターの無駄な混雑を避けることもできる。
【００３８】
上記実施例では、エレベーターの行き先階の予約をエレベーターの近傍に設けた送受信手段と携帯端末器との通信で実行していたが、エレベーターの送受信手段をフロアに広く配置した例えば無線ＬＡＮ等を利用することもできる。その場合、さらに他の昇降手段を容易に利用可能になる。
【００３９】
上記実施例によれば、利用者が携行する携帯端末器に待ち時間を含む到着時間が表示されるので、待ち時間の表示ない場合に比べて、利用者のイライラ感を低減できる。またエスカレーターや階段を利用して行先階に到着するのに所要する時間を把握できるので、利用者が昇降設備を選択する選択肢が広がる。
【００４０】
また、上記実施例で示した携帯端末器を携帯電話やスマートフォン等の携帯通信機器とすれば、アプリケーションソフトとして、図４や図６に示した処理をプログラム化することが可能になり、特殊な携帯端末器を必要とせず、この昇降装置のシステム構築が容易になる。
【符号の説明】
【００４１】
１…エレベーター、２…エスカレーター、３…階段、４…携帯端末器、５…エレベーター制御装置、６…データ受信部、７…行先階登録部、８…行先階データ、９…エレベーター待ち時間演算部、１０…エレベーター待ち時間、１１…エレベーター行先階到着時間演算部、１２…エレベーター行先階到着時間、１３…エスカレーター各階所要時間、１４…エスカレーター行先階到着時間演算部、１５…エスカレーター行先階到着時間、１６…階段各階所要時間、１７…階段行先階到着時間演算部、１８…階段行先階到着時間、１９…データ送信部、２０…行先階入力部、２１…行先階データ作成部、２２…データ送信部、２３…データ受信部、２４…データ展開部、２５…表示部、２６…表示出力部、５０…昇降装置。
【図１】
2015020853.tif 000003
【図２】
2015020853.tif 000004
【図３】
2015020853.tif 000005
【図４】
2015020853.tif 000006
【図５】
2015020853.tif 000007
【図６】
2015020853.tif 000008